(57)【要約】【課題】ブック原稿用の原稿読取装置と、シート原稿用の原稿読取装置と、を、同じ原稿読取ユニットで、かつ小型で実現することが可能な原稿読取装置を提供する。【解決手段】スキャンライン８で読み取ったブック原稿を反転する際に、そのブック原稿の先端が排紙ローラ９を通過した時に搬送を一時停止し、分岐爪１０をブック原稿から遠ざける方向に移動し、排紙ローラ９を逆回転し、排紙ローラ９の回転によりブック原稿のページを捲る。そして、ページを捲ったブック原稿を読み取らずにスキャンライン８を通過させて再度反転し、該反転したブック原稿をスキャンライン８を再度通過させる際にブック原稿を読み取るように制御する。【選択図】図２
2012175350.tif 000002
【特許請求の範囲】
【請求項１】
原稿を搬送する原稿搬送手段と、
スキャンラインを通過する原稿を読み取る読取手段と、
前記読取手段により読み取ったブック原稿を前記原稿搬送手段を用いて反転する際に、前記ブック原稿の先端が排紙ローラを通過した時に搬送を一時停止し、分岐爪を前記ブック原稿から遠ざける方向に移動し、前記排紙ローラを逆回転し、前記排紙ローラの回転により前記ブック原稿のページを捲る搬送制御手段と、
ページを捲った前記ブック原稿を前記読取手段で読み取らずに前記原稿搬送手段を用いて前記スキャンラインを通過させて再度反転し、該反転した前記ブック原稿を、前記原稿搬送手段を用いて前記スキャンラインを再度通過させる際に前記読取手段で前記ブック原稿を読み取るように制御する読取制御手段と、
を有することを特徴とする原稿読取装置。
【請求項２】
前記読取制御手段は、
１回目にページを捲った前記ブック原稿の場合は、前記原稿搬送手段を用いて１回目に前記スキャンラインを通過させる際に、前記読取手段により前記ブック原稿を読み取るように制御することを特徴とする請求項１記載の原稿読取装置。
【請求項３】
前記読取手段により読み取った前記ブック原稿の画像の上下を反転する画像処理手段を有することを特徴とする請求項１または２記載の原稿読取装置。
【請求項４】
前記画像処理手段は、
前記ブック原稿の種別に応じて、前記ブック原稿の画像の上下を反転することを特徴とする請求項３記載の原稿読取装置。
【請求項５】
前記原稿搬送手段を用いて前記ブック原稿を搬送する搬送経路のニップ幅を調整する調整手段を有することを特徴とする請求項１から４の何れか１項に記載の原稿読取装置。
【請求項６】
前記調整手段は、
前記ブック原稿のページ数に応じたニップ幅に調整することを特徴とする請求項５記載の原稿読取装置。
【請求項７】
前記原稿搬送制御手段は、
前記原稿搬送手段を用いて前記ブック原稿を搬送する搬送経路に存在するローラ間の距離よりも前記ブック原稿の長さが短い場合は、前記ブック原稿の搬送を行わないことを特徴とする請求項１から６の何れか１項に記載の原稿読取装置。
【請求項８】
請求項１から７の何れか１項に記載の原稿読取装置を搭載した画像形成装置。
【発明の詳細な説明】
【技術分野】
【０００１】
本発明は、複写機、スキャナ、ファクシミリ等に使用する原稿読取装置に関し、特に、ブック原稿の読み取りを可能にする原稿読取装置に関する。
【背景技術】
【０００２】
従来、手間のかかるブック原稿の読み取りを自動化するため、光学的読取手段とページ捲り手段とを有する原稿読取ユニットが、原稿台に見開きで設置されたブック原稿上を往復移動し、ブック原稿のページを捲りながら原稿を読み取る原稿読取技術がある（例えば、特許文献１：特開平４−５１１３８号公報、特許文献２：特開平４−５１１７３号公報参照）。
【０００３】
しかし、上記の原稿読取技術では、ページを捲るための手段を新たに設けるため、装置が大型化する。また、コンタクトガラス上にシート原稿を載せて原稿を読み取る通常のシート原稿用の原稿読取装置と異なる構成をとるため、ブック原稿用の原稿読取装置とシート原稿用の原稿読取装置とを同じ原稿読取ユニットで実現しようとすると、二つの原稿読取機能を独立して持つ必要があり、装置が大型化する（例えば、特許文献３：特開平７−７９３２８号公報参照）。
【発明の概要】
【発明が解決しようとする課題】
【０００４】
本発明は、このような問題を解決するためになされたものであり、ブック原稿用の原稿読取装置と、シート原稿用の原稿読取装置と、を、同じ原稿読取ユニットで、かつ小型で実現することが可能な原稿読取装置及び画像形成装置を提供することを目的とする。
【課題を解決するための手段】
【０００５】
かかる目的を達成するために、本発明は、以下の特徴を有する。
【０００６】
本発明にかかる原稿読取装置は、
原稿を搬送する原稿搬送手段と、
スキャンラインを通過する原稿を読み取る読取手段と、
前記読取手段により読み取ったブック原稿を前記原稿搬送手段を用いて反転する際に、前記ブック原稿の先端が排紙ローラを通過した時に搬送を一時停止し、分岐爪を前記ブック原稿から遠ざける方向に移動し、前記排紙ローラを逆回転し、前記排紙ローラの回転により前記ブック原稿のページを捲る搬送制御手段と、
ページを捲った前記ブック原稿を前記読取手段で読み取らずに前記原稿搬送手段を用いて前記スキャンラインを通過させて再度反転し、該反転した前記ブック原稿を、前記原稿搬送手段を用いて前記スキャンラインを再度通過させる際に前記読取手段で前記ブック原稿を読み取るように制御する読取制御手段と、
を有することを特徴とする。
【０００７】
本発明にかかる画像形成装置は、
上記記載の原稿読取装置を搭載したことを特徴とする。
【発明の効果】
【０００８】
本発明によれば、ブック原稿用の原稿読取と、シート原稿用の原稿読取と、を、同じ原稿読取ユニットで、かつ小型で実現することができる。
【図面の簡単な説明】
【０００９】
【図１】本実施形態の原稿読取装置の制御構成例を示す図である。
【図２】本実施形態の原稿読取装置の概略構成例を示す図である。
【図３】ブック原稿の搬送過程（原稿トレイから反転ローラまで）を示す第１の概略図である。
【図４】ブック原稿の搬送過程（ページ捲り準備）を示す第２の概略図である。
【図５】ブック原稿の搬送過程（ページ捲り動作）を示す第３の概略図である。
【図６】ブック原稿の搬送過程（ページ捲り動作完了後）を示す第４の概略図である。
【図７】原稿搬送処理例を示すフローチャートである。
【図８】ブック原稿の表紙を読み取る機能を付加した原稿搬送処理例を示すフローチャートである。
【図９】左開きのブック原稿が原稿台に置かれた状態を示す概略図である。
【図１０】右開きのブック原稿が原稿台に置かれた状態を示す概略図である。
【図１１】ブック原稿の画像の上下を反転させる第１の処理動作例を示すフローチャートである。
【図１２】ブック原稿の画像の上下を反転させる第２の処理動作例を示すフローチャートである。
【図１３】ニップ幅（ローラとコロとの間隔）が変更可能な位置を示す概略図である。
【図１４】ニップ幅を変更する第１の処理動作例を示すフローチャートである。
【図１５】ニップ幅を変更する第２の処理動作例を示すフローチャートである。
【図１６】ブック原稿長に応じた原稿搬送処理例を示すフローチャートである。
【発明を実施するための形態】
【００１０】
以下、添付図面を参照しながら、本実施形態の原稿読取装置について詳細に説明する。
【００１１】
＜原稿読取装置の制御構成例＞
まず、図１を参照しながら、本実施形態の原稿読取装置の制御構成例について説明する。図１は、本実施形態の原稿読取装置の制御構成例を示す図である。
【００１２】
本実施形態の原稿読取装置は、ブック原稿の搬送およびブック原稿のページ捲りを行う原稿搬送制御部１００と、ブック原稿の読み取りを行う原稿読取制御部１０１と、読み取ったブック原稿の画像処理を行う読取画像処理部１０２と、ブック原稿の読み取り条件の表示及び操作を行う表示・操作部１０３と、原稿読取装置全体を制御するシステム制御部１０４と、を有して構成する。
【００１３】
＜原稿読取装置の概略構成例＞
次に、図２を参照しながら、本実施形態の原稿読取装置の概略構成例について説明する。図２は、本実施形態の原稿読取装置の概略構成例を示す図である。
【００１４】
本実施形態の原稿読取装置は、原稿をセットする原稿トレイ１、原稿トレイ１に原稿がセットされたことを検知するセットセンサ３、原稿を搬送する各種コロ、ローラ２，４，５，６，９，１１、搬送された原稿の位置を把握するためのレジストセンサ７、読み取った原稿を電子化する光電変換素子が配置されているスキャンライン８、原稿を反転させるために原稿の搬送経路を切り替える分岐爪１０、原稿を排出する排紙トレイ１２、を備えている。本実施形態の原稿読取装置は、スキャンライン８で原稿を読み取ることにしている。
【００１５】
＜原稿読取装置の処理動作例＞
次に、図３〜図６を参照しながら、本実施形態の原稿読取装置の処理動作例について説明する。図３〜図６は、ブック原稿の搬送過程を図解したものである。
【００１６】
図３は、原稿トレイ１にブック原稿がセットされた状態（図３のＡ）、その後、ブック原稿がピックアップコロ２、給紙コロ４、プルアウトローラ５、読取前ローラ６により搬送されてスキャンライン８まで到達した状態（図３のＢ）、更にその後、ブック原稿が排紙ローラ９、反転ローラ１１により搬送されて分岐爪１０と反転ローラ１１からなる反転部まで到達した状態（図３のＣ）をそれぞれ図２に重ねて図示したものである。この際のコロやローラの回転方向も付記している。
【００１７】
まず、原稿トレイ１に見開き状態でブック原稿を置く。この際、読取開始ページがセットセンサ３側になるようにブック原稿の端を原稿トレイ１端に寄せて置く。読取開始後、ピックアップコロ２、給紙コロ４、プルアウトローラ５、読取前ローラ６を回転させ、ブック原稿をスキャンライン８へ搬送し、ブック原稿の１ページ目と２ページ目とを読み取る。なお、ブック原稿の先端がレジストセンサ７を通過したときに分岐爪１０を下降させておき、排紙ローラ９、反転ローラ１１を回転させブック原稿を反転部（図３のＣ）まで搬送する。また、ブック原稿がレジストセンサ７を通過するまでの時間と搬送速度から、ブック原稿の長さを推定する。例えば、ブック原稿の先端がレジストセンサ７を通過してから、ブック原稿の後端がレジストセンサ７を通過するまでの時間と、ブック原稿の搬送速度と、を基に、ブック原稿の長さを推定する。なお、ブック原稿の搬送速度は、例えば、読取前ローラ６の回転量を基に特定する。なお、ブック原稿の長さを推定することが可能であれば、上記方法に限定せず、様々な方法が適用可能である。なお、ブック原稿の長さは、図４，５に示すページ捲り動作例における排紙ローラ９の回転数の決定に利用する。
【００１８】
図４は、反転部（図３のＣ）まで搬送されたブック原稿の搬送方向を反転してページ捲り部まで搬送した状態を図２に重ねて図示したものである。この際のローラの回転方向も付記している。
【００１９】
まず、分岐爪１０を上昇させ、反転ローラ１１及び排紙ローラ９を、図４に示すように反時計周り方向に回転させ、反転部（図３のＣ）にあるブック原稿をページ捲り部（図４のＤ）まで搬送し、排紙ローラ９の回転を一旦停止させる。この時、ブック原稿は見開き状態であり、読取原稿面は下向きである。また、捲られるページは、排紙ローラ９と、その排紙ローラに対向する上部ローラ９−１と、に挟まれた状態である。反転部（図３のＣ）からページ捲り部（図４のＤ）までの搬送距離は、ブック原稿長により決定する。
【００２０】
図５は、ブック原稿のページを捲る途中の状態を図２に重ねて図示したものである。
【００２１】
まず、分岐爪１０を下降させ、捲られたページを押し出すための空間を確保する。次に、排紙ローラ９のみを図５に示すように時計周り方向に回転させ、ブック原稿のページを捲る。この時の排紙ローラ９の回転数は、ブック原稿長により決定する。即ち、ブック原稿長に応じた回転数だけ排紙ローラ９を回転すれば、ブック原稿のページを１ページだけ捲ることができる。
【００２２】
図６は、ブック原稿をページ捲り部（図４のＤ）からスキャンライン８方向に送り出す途中の状態を図２に重ねて図示したものである。ブック原稿のページを捲った後、再び排紙ローラ９および反転ローラ１１を反時計周り方向に回転させ、ブック原稿をスキャンライン８方向に送り出す。この後、読取前ローラ６、排紙ローラ９、反転ローラ１１を使ってブック原稿を反転部まで搬送し、分岐爪１０を上昇させて反転ローラ１１と排紙ローラ９を反時計回り方向に回転させることで再度反転動作を行い、読取前ローラ６を使ってブック原稿をスキャンライン８へ搬送し、ブック原稿の３ページ目と４ページ目とを読み取る。
【００２３】
本実施形態の原稿読取装置は、自動原稿送り装置の各ローラの回転を利用することでブック原稿のページ捲りを自動で行うことができる。また、原稿読取装置の構成は通常の構成（ページを捲るための装置を新たに持たない構成）であるため、従来通り、シート原稿の読み取りを行うことも可能である。
【００２４】
図７は、原稿搬送処理の一例を示すフローチャートである。
【００２５】
まず、原稿トレイ１にあるブック原稿をスキャンライン８へ搬送し（ステップS1）、ブック原稿の読み取り動作を行う（ステップS2）。その後、ブック原稿を反転ローラ１１へ搬送し（ステップS3）、次ページがある場合は、（ステップS4/Yes）、ページ捲り動作を行う（ステップS6）。なお、本実施形態の原稿読取装置には、ブック原稿のページ数がユーザによって表示・操作部１０３から予め入力されているものとする。
【００２６】
ページ捲り動作（ステップS6）は、まず、分岐爪１０を上昇し（ステップS9）、排紙ローラ９及び反転ローラ１１を反転する（ステップS10）。次に、ブック原稿の先端が排紙ローラ９を通過したら（ステップS11／Yes）、排紙ローラ９及び反転ローラ１１を停止する（ステップS12）。その後、分岐爪１０を下降し（ステップS13）、排紙ローラ９のみを正転し（ステップS14）、ページの捲り動作が完了したら（ステップS15/Yes）、排紙ローラ９及び反転ローラ１１を反転する（ステップS16））。これにより、ページ捲り動作が完了し、ブック原稿をスキャンライン８へ搬送することができる（ステップS7）。なお、この回の搬送ではブック原稿の読み取り動作は行わない。そして、新しく見開かれたページがスキャンライン通過時に下を向くように再度反転動作を行い（ステップS8）、スキャンライン８へブック原稿を搬送し（ステップS1）、ブック原稿の読み取り動作を行う（ステップS2）。この処理を次ページが無くなるまで行い、次ページが無くなったら（ステップS4/No）、排紙動作を行う（ステップS5）。
【００２７】
図８は、ブック原稿の表紙の読み取りを可能にした場合の原稿搬送処理例を示すフローチャートである。
【００２８】
図７に示す原稿搬送処理例は、ブック原稿の中身のみを読み取り、表紙側の面の読み取りを行っていない。そこで、ブック原稿の表紙を読み取ることを考える。具体的な処理は次の通りである。まず、図７と同じくブック原稿の第一回目のページ捲り動作を行い（ステップS6）、スキャンライン８へブック原稿を搬送する（ステップS22）。この時、ブック原稿の表紙がスキャンライン８側に面している状態である。ブック原稿の搬送中の反転動作の回数をカウントし、原稿読取開始からの反転動作の累積回数が１回の場合のみ（ステップS23/Yes）、ブック原稿の読み取り動作を行う（ステップS25）。こうすることで、ブック原稿の表紙を読み取ることができる。なお、ブック原稿の表紙側を読み取る場合は、原稿の読み取り順番が、例えば、ページ１→ページ２→表紙２→表紙１→ページ３→ページ４→・・・となる。このため、ブック原稿の表紙側を読み取る場合は、読み取った原稿の印刷順番を、例えば、表紙２→表紙１→ページ１→ページ２→ページ３→ページ４→・・・・の順番にする必要がある。
【００２９】
図９は、左開きのブック原稿の例である。図１０は、右開きのブック原稿の例である。図２と図７に示された実施形態では、セットセンサ３側に接している紙が一枚になるようにブック原稿を開いて原稿トレイ１に置くことを前提としている。このため、捲るべきページがブック原稿の右側にある場合（左開きのブック原稿）のみ、ブック原稿のページを昇順で読み取ることができる。図１０のように、右開きのブック原稿を読み取る場合、原稿を上下反転した状態で原稿トレイ１に置く必要があり、読み取られた原稿の画像が上下反転したものとなってしまう。そこで、右開きのブック原稿を読み取る場合は、読取画像処理部１０２にて、読取画像の上下を反転させる。
【００３０】
図１１は、図２と図７に示された実施形態において、ブック原稿が右開きであっても左開きであってもページを昇順で読み取ることができる画像処理例を示すフローチャートである。
【００３１】
原稿読取装置がブック原稿の読み取りを終えた後、ブック原稿が右開きのブック原稿であれば（ステップS26/Yes）、読取画像処理部１０２にて上下反転処理を行い（ステップS27）、左開きのブック原稿であれば（ステップS26/No）、上下反転処理を行わない。ここで、ブック原稿が右開きであるか、左開きであるかはユーザが表示・操作部１０３から予め原稿読取装置に入力しているものとする。これにより、ブック原稿が右開きであっても左開きであってもページを昇順で読み取ることができる。
【００３２】
図１２は、図２と図７に示された実施形態において、ブック原稿が縦書きであっても横書きであってもページを昇順で読み取ることができる画像処理例を示す。
【００３３】
ブック原稿は一般的に縦書きであれば右開きに、横書きであれば左開きになる。このため、原稿読取装置がブック原稿の読み取りを終えた後、縦書き原稿であれば（ステップS28/Yes）、読取画像処理部１０２にて上下反転処理を行い（ステップS29）、横書き原稿であれば（ステップS28/No）、上下反転処理を行わない。ここで、ブック原稿が縦書きであるか、横書きであるかはユーザが表示・操作部１０３から予め原稿読取装置に入力しているものとする。これにより、ブック原稿が縦書きであっても横書きであってもページを昇順で読み取ることができる。
【００３４】
図１３は、原稿搬送経路においてニップ幅（ローラとコロとの間隔）が変更可能な位置を図２に重ねて図示したものである。
【００３５】
ブック原稿の厚さが大きい場合は、ブック原稿のページを捲る際に原稿のページに圧力がかかりすぎて、一度に複数のページを捲ってしまう可能性がある。また、ブック原稿の厚さが大きい場合は、原稿搬送経路にブック原稿が詰まり、ブック原稿の搬送が途中で停止する可能性がある。そこで、図１３に示す各ローラとコロ間のニップの幅を表示・操作部１０３からのユーザ入力によって変更可能とし、厚みの大きいブック原稿を搬送する場合は、ニップ幅を広げ、厚みの小さいブック原稿を搬送する場合は、ニップ幅を狭めることができるようにする。なお、各ニップの幅（D１〜D６）は、全て同じ幅になるように表示・操作部１０３から一括設定する方法と、各ニップの幅をユーザが表示・操作部１０３から個別に設定する方法がある。
【００３６】
図１４は、表示・操作部１０３からユーザが入力したニップ幅により、ニップ幅を変更する原稿搬送制御処理例を示すフローチャートである。
【００３７】
ニップ幅を変更する場合は（ステップS30/Yes）、表示・操作部１０３からユーザが入力した値をニップ幅として（ステップS31）、予めニップ幅を変更する（ステップS32）。これにより、ブック原稿のページを一度に複数ページ捲ってしまったり、ブック原稿が原稿搬送経路に詰まり、ブック原稿の搬送が停止してしまったりすることを防止することができる。
【００３８】
図１５は、表示・操作部１０３からユーザ入力したブック原稿のページ数により、ニップ幅を変更する原稿搬送制御処理例を示すフローチャートである。
【００３９】
読み取るブック原稿のページ数を変更する場合は（ステップS33/Yes）、表示・操作部１０３からユーザが入力した値を所定の関数で計算した値をニップ幅として（ステップS34）、予めニップ幅を変更する（ステップS35）。これにより、ブック原稿のページを一度に複数ページ捲ってしまったり、ブック原稿が原稿搬送経路に詰まり、ブック原稿の搬送が停止してしまったりすることを防止することができる。
【００４０】
図１６は、表示・操作部１０３からユーザが入力したブック原稿長と、ローラ間最大間隔距離と、を比較し、ブック原稿長がローラ間最大間隔距離よりも短い場合は、ブック原稿の搬送を行わないようにする原稿搬送制御処理例を示すフローチャートである。ローラ間最大間隔距離は、例えば、図２に示す各種コロ、ローラ２，４，５，６，９，１１同士のローラ間隔の中で最も長い間隔とする。
【００４１】
図２と図７に示された実施形態では、ブック原稿長がローラ間最大間隔距離よりも短い場合は、ブック原稿の片方のページ部分のみにローラの回転が加わり、搬送途中でページが捲れてしまったり原稿搬送経路にブック原稿が詰まったりする可能性がある。そこで、ブック原稿搬送前にブック原稿長確認を行い（ステップS36）、ブック原稿長と、ローラ間最大間隔距離と、を比較し（ステップS37）、ブック原稿長がローラ間最大間隔距離よりも短い場合は（ステップS37/No）、搬送を停止し（ステップS38）、表示・操作部１０３にエラーを表示する（ステップS39）。この結果、搬送途中でページが捲れてしまったり、原稿搬送経路にブック原稿が詰まったりすることを防止することができる。ここで、ブック原稿長は、予めユーザによって表示・操作部１０３から原稿読取装置に入力されているものとする。
【００４２】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００４３】
例えば、上述した実施形態では、原稿読取装置の処理動作例を主眼に説明した。しかし、上述した原稿読取装置で読み取ったブック原稿の画像を画像形成装置で印刷することも可能である。
【００４４】
また、上述した本実施形態の原稿読取装置を構成する各部の制御動作は、ハードウェア、または、ソフトウェア、あるいは、両者の複合構成を用いて実行することも可能である。
【００４５】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００４６】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【００４７】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【００４８】
また、本実施形態における原稿読取装置は、上記実施形態で説明した処理動作に従って時系列的に実行されるのみならず、処理を実行する装置の処理能力、あるいは、必要に応じて並列的にあるいは個別に実行するように構築することも可能である。
【符号の説明】
【００４９】
１    原稿トレイ
２    ピックアップコロ
３    セットセンサ
４    給紙コロ
５    プルアウトローラ
６    読取前ローラ
７    レジストセンサ
８    スキャンライン
９    排紙ローラ
９−１    排紙ローラ上部のローラ
１０    分岐爪
１１    反転ローラ
１２    排紙トレイ
【先行技術文献】
【特許文献】
【００５０】
【特許文献１】特開平４−５１１３８号公報
【特許文献２】特開平４−５１１７３号公報
【特許文献３】特開平７−７９３２８号公報
【図１】
2012175350.tif 000003
【図２】
2012175350.tif 000004
【図３】
2012175350.tif 000005
【図４】
2012175350.tif 000006
【図５】
2012175350.tif 000007
【図６】
2012175350.tif 000008
【図７】
2012175350.tif 000009
【図８】
2012175350.tif 000010
【図９】
2012175350.tif 000011
【図１０】
2012175350.tif 000012
【図１１】
2012175350.tif 000013
【図１２】
2012175350.tif 000014
【図１３】
2012175350.tif 000015
【図１４】
2012175350.tif 000016
【図１５】
2012175350.tif 000017
【図１６】
2012175350.tif 000018